(57)【要約】本発明は、箱様筐体からなる自動手洗装置に関し、箱様筐体は、ユーザの手が消毒のために差し入れられる２つの開口部を持ち、手で接触することなく作動する噴霧ノズルによる消毒液自動噴霧機能を備え、噴霧ノズルからの消毒液の噴射が正しい場所、すなわち、指先、指および手のひら部分に正確に向けられる。開口部（Ａ）は卵型で縦長の楕円形であり、開口部は手を消毒中に正しい位置に促すよう実質的に均等に成形された凹部を含む。【選択図】図１
2012501686.tif 000002
【特許請求の範囲】
【請求項１】
箱様筐体からなる自動手洗装置であって、
前記箱様筐体が、ユーザの手が消毒のために差し入れられる２つの開口部（Ａ）を持ち、手で接触することなく作動する噴霧ノズル（１３、１４）による消毒液自動噴霧機能を備え、
前記噴霧ノズルからの前記消毒液の噴射が正しい場所、すなわち、指先、指および手のひら部分に正確に向けられ、
前記開口部（Ａ）が卵型で縦長の楕円形であり、手を消毒中に正しい位置に促すよう実質的に均等に成形された凹部を含む
ことを特徴とする、自動手洗装置。
【請求項２】
前記凹部が内部で先細になっている
ことを特徴とする、請求項１に記載の自動手洗装置。
【請求項３】
前記凹部内に１つ以上のノズル（１３、１４）を備える
ことを特徴とする、請求項１に記載の自動手洗装置。
【請求項４】
前記自動装置が蓄圧機（１６）を備え、
消毒液が流体ポンプ（１０）によって前記蓄圧機に注入され、そこから電磁弁（１５）を通ってノズル（１３、１４）へと送られる
ことを特徴とする、請求項１〜３のいずれか１項に記載の自動手洗装置。
【請求項５】
前記蓄圧機（１６）が柔軟膜袋を備えた圧力タンクからなり、前記圧力タンクの作動圧力は４〜６バールでエネルギーが前記蓄圧機（１６）に蓄積される、
ことを特徴とする、請求項１〜４のいずれか１項に記載の自動手洗装置。
【請求項６】
前記自動装置が電磁弁（１５）による噴霧処理を監視するためのプロセッサを備える
ことを特徴とする、請求項１〜５のいずれか１項に記載の自動手洗装置。
【請求項７】
前記自動装置の作動電圧がＤＣ  １２Ｖである
ことを特徴とする、請求項１〜６のいずれか１項に記載の自動手洗装置。
【請求項８】
前記自動装置の外部部品が交換可能で、前記開口部の外壁、すなわち、「ラグ」が顧客デザインによる外観を有することができる
ことを特徴とする、請求項１〜７のいずれか１項に記載の自動手洗装置。
【請求項９】
前記自動装置がユーザ指向の情報および指示が録音された音声合成装置を備える
ことを特徴とする、請求項１〜８のいずれか１項に記載の自動手洗装置。
【請求項１０】
前記自動装置が動作感知器を備え、前記動作感知器は通行人が手を消毒するために近づくように音声合成装置に録音された指示および／または奨励を開始する
ことを特徴とする、請求項９に記載の自動手洗装置。
【請求項１１】
前記自動装置がシステムに存在する気体を前記流体タンク（１８）に導くために前記蓄圧機（１６）と前記流体タンクとの間に通気巡回路を備える
ことを特徴とする、請求項１〜１０のいずれか１項に記載の自動手洗装置。
【発明の詳細な説明】
【技術分野】
【０００１】
本発明は、箱様筐体からなる自動手洗装置に関し、箱様筐体は、ユーザの手が消毒のために差し入れられる２つの開口部を持ち、手で接触することなく作動する噴霧ノズルによる消毒液自動噴霧機能を備え、噴霧ノズルからの消毒液の噴射が正しい場所、すなわち、指先、指および手のひら部分に正確に向けられる。装置の使用目的は、手の消毒であり、これにより、手の衛生状態が向上し細菌感染が防止される。
【背景技術】
【０００２】
周知のハンドディスペンサーおよびスプレーボトルに加え、この種の既知の解決方法は、たとえば以下の参照によって開示されている。
−  米国特許第５９２４１４８号
−  欧州特許第１２１１３０６号
−  欧州特許第１２３３７４９号
−  欧州特許第１２４１９６８号
−  欧州特許第１１７１５６８号
【発明の概要】
【発明が解決しようとする課題】
【０００３】
これらの先行技術による解決方法は、以下の欠点を持つ。
−  出される量が不正確であり、１回分の使用量として手の上に出される物質は塊のようになっているため、消毒効果さえも保証され得ない。
−  ほとんどの装置は、手の接触を必要とする。
−  得られる成果に対して消毒液の消費量が高い。
−  大勢の一般ユーザが利用するには遅すぎる。
−  衛生用設備に配置される。
【０００４】
本発明の目的は、上記で述べた欠点を克服することである。本発明の自動手洗装置は以下の機能を特徴とする：装置の開口部が卵型で縦長の楕円形に形成され、開口部は手を消毒中に正しい位置に促すよう実質的に均等に成形された凹部を含む。
【０００５】
本発明のさまざまな実施形態は、一連の請求項の従属請求項に定義されている。
【発明の効果】
【０００６】
本発明の自動装置は、以下の利点を持つ。
−  完全に自動化されている。
−  噴射が正しい場所、すなわち、指先、指および手のひら部分に正確に向けられる。
−  ユーザは、自分の行動で最終結果を妨げることができない。
−  １回の使用量が最適化されている。
−  高速機能であり、全体の処理が１秒未満で完了し、大勢の一般ユーザが利用するのに適した装置となる。
−  レストラン、および、人々が居住、勤務、往来する任意の施設に配置できるようなデザインの装置である。
−  音声合成装置のフィードバックにより、特に子供に対して、手の衛生状態の向上を促す。 
【０００７】
以下では、例を用い、添付図面を参照して、本発明を説明する。
【図面の簡単な説明】
【０００８】
【図１】床置型自動手洗装置を示す。
【図２】卓上型自動手洗装置を示す。
【図３】自動手洗装置の概略図を示す。
【発明を実施するための形態】
【０００９】
自動手洗装置は、箱様筐体からなり、箱様筐体は、ユーザの手が消毒のために差し入れられる２つの開口部Ａを持ち、手で接触することなく自動的に機能する噴霧ノズル１３、１４による消毒液噴霧機能を備え、噴霧ノズルからの消毒液の噴射が正しい場所、すなわち、指先、指および手のひら部分に正確に向けられる。開口部は卵型で縦長の楕円形に形成され、開口部は手を消毒中に正しい位置に促すよう実質的に均等に成形された凹部を含む。凹部は内部で先細になっている。流体ノズル１３、１４は、凹部内に配置されている。自動装置は蓄圧機１６を備え、その蓄圧機に消毒液が流体ポンプ１０によって注入され、さらに、電磁弁１５を通ってノズル１３、１４へと送られる。蓄圧機１６は、柔軟膜袋を備えた圧力タンクからなり、圧力タンクの作動圧力は４〜６バールでエネルギーが蓄圧機１６に蓄積される。さらに、自動装置は、電磁弁１５による噴霧処理を監視するためのプロセッサを備える。装置の作動電圧はＤＣ  １２Ｖである。装置の外部部品は交換可能で、前記開口部の外壁、すなわち、「ラグ」は顧客デザインによる外観を有することができる。
【００１０】
自動装置は、さらに、ユーザ指向の情報および指示が保存された音声合成装置を備え得る。装置に含まれる動作感知器は、ユーザが彼／彼女の手を消毒するために近づくのを促すような、音声合成装置に録音されたわかりやすい指示を起動する。
【００１１】
消毒運転は、ユーザが装置の側面の開口部Ａの中に彼／彼女の手を入れセンサ２がそれを感知したときに起動される。センサ２は、回路基板５上のプロセッサに制御を与える。プロセッサが電磁弁１５にプリセットの制御コマンドを与えると、電磁弁が開く。その後、蓄圧機１６中に過圧下で保存された流体がノズル１３、１４へと通過し、手の上に散布されることにより、手が消毒される。
【００１２】
プロセッサのソフトウェアは、回路基板上に置かれた圧力センサ８を読むことで、圧力変化に反応する。圧力が下限まで下がると、プロセッサは流体ポンプ１０を起動し、流体ポンプは流体をタンク１８から蓄圧機１６に送る。既定の圧力上限に達すると、プロセッサはポンプ１０を停止する。
【００１３】
流体タンク１８中の流体が下限まで下がると、センサ１１は、タンクを満たすべきであることをプロセッサに通知する。下限アラームは光ダイオード１を点灯し、音響アラーム１９を鳴らす。
【００１４】
流体タンク１８が満たされる際には、筐体の左側が開かれ、ドアスイッチ４はプロセッサに通知する。すると、プロセッサは全機能のスイッチを切るため、装置に触れても消毒液が噴霧されることなく装置を取り扱うことができるようになる。
【００１５】
タンク１８が満たされ、「ドア」が閉じられる。その後、ドアスイッチは、点検口が閉じられたことの信号を送る。ドアスイッチ４からの「閉じられた」というデータが、ポンプ１０を起動し、電磁弁１７を開くことで、流体が装置内の内部回路内を循環し始める。その後、システム内に存在する気体は、流体タンク１８に導かれる。
【００１６】
電磁弁１７は、あらかじめ決められた時間が経過すると、閉じられる。ポンプ１０は作動を続け、圧力上限に達するまで蓄圧機１６に流体を送る。その後、ポンプ１０は停止し、装置は運転可能な状態となる。 
【００１７】
装置は、さらに、動作感知器１２を備え得る。感知器が装置を使用せずに通り過ぎる人を検知すると、音声合成装置に保存された手洗をすすめるメッセージがスピーカーから流れる。
【００１８】
装置は、上記の例に限定されるものではなく、以下の請求項の範囲内で変化し得る。したがって、装置は、上記で説明した床置型および卓上型とは異なる型で実施され得る。電流源は、たとえば、ＤＣ  ２３０Ｖ／１２Ｖ変圧器または充電可能な蓄電池であり得る。
【００１９】
【表１】
2012501686.tif 000003
【図１】
2012501686.tif 000004
【図２】
2012501686.tif 000005
【図３】
2012501686.tif 000006
【国際調査報告】
2012501686.tif 000007
2012501686.tif 000008
2012501686.tif 000009